(57)【要約】【課題】複数台の表示装置を用いて画像データを表示する際に、画像データを見易くするために、ユーザが意図した位置であって、操作中の表示を邪魔しない位置に表示することができる表示制御装置などを提供すること。【解決手段】表示制御装置（３０）は、複数台の表示装置（１１〜１３）の中から、ユーザに操作される表示装置（１１）を操作対象表示装置として選択し、操作対象表示装置（１１）とは異なる１つの表示装置であり、かつ、操作対象表示装置（１１）の右隣に配置された表示装置（１２）を選択表示装置として選択する。表示制御装置（３０）は、受信された画像データ（１００）を、選択表示装置である表示装置（１２）に表示する。【選択図】図５
2018077343.tif 000002
【特許請求の範囲】
【請求項１】
複数台の表示装置に接続される表示制御装置であって、
前記複数台の表示装置の中から、ユーザにより操作されている表示装置を操作対象表示装置として選択する装置選択部と、
コンテンツデータを受信するコンテンツデータ受信部と、
前記受信されたコンテンツデータを前記操作対象表示装置以外に表示する表示制御部と、
を備えることを特徴とする表示制御装置。
【請求項２】
前記表示制御部は、前記操作対象表示装置以外の表示装置のうち、一の表示装置の表示領域内に、前記コンテンツデータを表示することを特徴とする請求項１に記載の表示制御装置。
【請求項３】
前記複数台の表示装置は、並べて配置され、
前記表示制御部は、前記複数台の表示装置の中から、前記操作対象表示装置の隣に配置された表示装置に、前記コンテンツデータを表示することを特徴とする請求項１又は２に記載の表示制御装置。
【請求項４】
前記表示装置がユーザによる操作状態であるか否かを判定する判定部を更に備え、
前記装置選択部は、前記複数台の表示装置の中から、前記判定部により操作状態であると判定された表示装置を、操作対象表示装置として選択することを特徴とする請求項１から３の何れか一項に記載の表示制御装置。
【請求項５】
ユーザの所在を検出するユーザ検出部を更に備え、
前記判定部は、前記ユーザ検出部により検出されたユーザの所在に近い表示装置が操作状態であると判定することを特徴とする請求項３に記載の表示制御装置。
【請求項６】
前記装置選択部は、前記複数台の表示装置の中から、少なくとも、ユーザが操作するためのメニュー、カーソル、アクティブウィンドウの何れかが表示されている表示装置を、前記操作対象表示装置として選択することを特徴とする請求項１から４のいずれか一項に記載の表示制御装置。
【請求項７】
前記装置選択部は、前記複数台の表示装置の中から、既にコンテンツデータが表示されている表示装置を、前記操作対象表示装置として選択することを特徴とする請求項１から４のいずれか一項に記載の表示制御装置。
【請求項８】
前記装置選択部は、前記複数台の表示装置に対して前記ユーザがタッチしたときの履歴に基づいて、前記複数台の表示装置の中から前記操作対象表示装置を選択することを特徴とする請求項１又は２に記載の表示制御装置。
【請求項９】
前記装置選択部は、前記複数台の表示装置の中から、前記ユーザのタッチ回数が最も多い表示装置を前記操作対象表示装置として選択することを特徴とする請求項８に記載の表示制御装置。
【請求項１０】
前記装置選択部は、前記複数台の表示装置の中から、前記ユーザが最後にタッチしてから経過時間が最も短い表示装置を前記操作対象表示装置として選択することを特徴とする請求項８に記載の表示制御装置。
【請求項１１】
コンテンツデータを受信するコンテンツデータ受信部と、
前記コンテンツデータを受信したときに、その旨を表す通知情報を、特定の操作が各々割り当てられた複数台の表示装置に表示することによりユーザに通知する通知制御部と、
複数台の表示装置の中から、前記ユーザが前記特定の操作を行なった表示装置を、操作対象表示装置として選択する装置選択部と、
前記受信されたコンテンツデータを、前記特定の操作により選択された、前記操作対象表示装置以外の表示装置に表示する表示制御部と、
を備えることを特徴とする表示制御装置。
【請求項１２】
前記特定の操作は、少なくとも、特定のジェスチャー操作、特定の文字の入力、特定のフリック操作の何れか一つの操作であることを特徴とする請求項１１に記載の表示制御装置。
【請求項１３】
複数台の表示装置と、前記複数台の表示装置に接続された表示制御装置と、を備えた表示システムであって、
前記表示制御装置は、
前記複数台の表示装置の中から、ユーザにより操作されている表示装置を操作対象表示装置として選択する装置選択部と、
コンテンツデータを受信するコンテンツデータ受信部と、
前記受信されたコンテンツデータを前記操作対象表示装置以外に表示する表示制御部と、
を備えることを特徴とする表示システム。
【請求項１４】
複数台の表示装置における表示制御方法であって、
複数台の表示装置の中から、ユーザにより操作されている表示装置を操作対象表示装置として選択する装置選択ステップと、
コンテンツデータを受信するコンテンツデータ受信ステップと、
前記受信されたコンテンツデータを前記操作対象表示装置以外に表示する表示制御ステップと、
を備えることを特徴とする表示制御方法。
【請求項１５】
複数台の表示装置が接続されたコンピュータに、
前記複数台の表示装置の中から、ユーザにより操作されている表示装置を操作対象表示装置として選択する装置選択機能と、
コンテンツデータを受信するコンテンツデータ受信機能と、
前記受信されたコンテンツデータを前記操作対象表示装置以外に表示する表示制御機能と、
を実現させることを特徴とするプログラム。
【発明の詳細な説明】
【技術分野】
【０００１】
本発明は、複数台の表示装置を用いて画像データを表示する表示制御装置などに関する。
【背景技術】
【０００２】
複数台の表示装置が並べて配置されたマルチディスプレイが開発されている。マルチディスプレイでは、複数台の表示装置を１つの画面として構成することができ、その１画面に画像データなどのコンテンツを表示することができる。
【０００３】
例えば、マルチディスプレイとして２台の表示装置が左右に並べて配置されている場合、ユーザ（先生、プレセンターなど）は、画像データをマルチディスプレイに表示させて、視聴者（生徒、受講者など）に対して授業または講義を行なうことができる。
【０００４】
しかしながら、マルチディスプレイでは、２台の表示装置が１つの画面として構成されているため、画像データを表示する際に、画像データが２台の表示装置に跨って表示されてしまう。
【０００５】
ここで、特許文献１は、画像データが２台の表示装置に跨って表示された場合に、２台の表示装置のうちの一方の表示装置に画像データを自動的に移動させる技術を開示している。
【０００６】
また、特許文献２は、画像データが２台の表示装置に跨って表示された場合に、利用者のスワイプ操作（スライド操作）により、２つの表示装置のうちの一方の表示装置に画像データを移動させる技術を開示している。スライド操作により画像データを移動させる技術については、特許文献３にも開示されている。
【先行技術文献】
【特許文献】
【０００７】
【特許文献１】特許第４７９９０１３号公報
【特許文献２】特許第５７７７９１５号公報
【特許文献３】特開平１１−１９１０３６号公報
【発明の概要】
【発明が解決しようとする課題】
【０００８】
しかしながら、特許文献１、２に開示された技術では、最初に、画像データが２台の表示装置に跨って表示されてしまう。ユーザ（先生、プレセンターなど）や視聴者（生徒、受講者など）にとっては、最初から画像データが見易く表示されることが好ましい。
【０００９】
また、特許文献１に開示された技術では、利用者に対して画像データを見易くさせるために、２台の表示装置のうちの一方の表示装置に画像データを自動的に移動させている。ユーザにとっては、視聴者に授業または講義を行なう都合上、画像データが自動的に（すなわち、勝手に）移動するのではなく、画像データを意図した位置に表示させたいものである。
【００１０】
また、特許文献２に開示された技術では、利用者が画像データを見易くするために、利用者自身で２台の表示装置のうちの一方の表示装置に画像データを移動させている。ユーザにとっては、ユーザ自身が２台の表示装置のうちの一方の表示装置に画像データを移動させることは、授業または講義を進める上で支障がある。
【００１１】
また、特許文献１、２に開示された技術では、ユーザが操作している表示装置に画像データが表示された場合、ユーザにとっては操作の邪魔になるため、例えば２台の表示装置のうちの一方の表示装置に画像データを移動させる手間がかかってしまう。
【００１２】
本発明は、上記従来の問題点に鑑みてなされたものであって、複数台の表示装置を用いてコンテンツデータを表示する場合に、ユーザの操作を邪魔しない位置に表示することができる表示制御装置等を提供することを目的とする。
【課題を解決するための手段】
【００１３】
上述した課題に鑑み、本発明の表示制御装置は、
複数台の表示装置の中から、ユーザにより操作されている表示装置を操作対象表示装置として選択する装置選択部と、
コンテンツデータを受信する受信部と、
前記受信されたコンテンツデータを前記操作対象表示装置以外に表示する表示制御部と、
を備えることを特徴とする。
【００１４】
本発明の表示制御装置は、
コンテンツデータを受信するコンテンツデータ受信部と、
前記コンテンツデータを受信したときに、その旨を表す通知画面を、特定の操作が各々割り当てられた複数台の表示装置に表示することによりユーザに通知する通知制御部と、
複数台の表示装置の中から、前記ユーザが前記特定の操作を行なった表示装置を、操作対象表示装置として選択する装置選択部と、
前記受信されたコンテンツデータを、前記特定の操作により選択された、前記操作対象表示装置以外の表示装置に表示する表示制御部と、
を備えることを特徴とする。
【００１５】
本発明の表示システムは、
複数台の表示装置と、前記複数台の表示装置に接続された表示制御装置と、を備えた表示システムであって、
前記表示制御装置は、
複数台の表示装置の中から、ユーザにより操作されている表示装置を操作対象表示装置として選択する装置選択部と、
コンテンツデータを受信する受信部と、
前記受信されたコンテンツデータを前記操作対象表示装置以外に表示する表示制御部と、
を備えることを特徴とする。
【００１６】
本発明の表示方法は、
複数台の表示装置の中から、ユーザにより操作されている表示装置を操作対象表示装置として選択する装置選択ステップと、
コンテンツデータを受信する受信ステップと、
前記受信されたコンテンツデータを前記操作対象表示装置以外に表示する表示制御ステップと、
を備えることを特徴とする。
【００１７】
本発明のプログラムは、
複数台の表示装置が接続されたコンピュータに、
前記複数台の表示装置の中から、ユーザにより操作されている表示装置を操作対象表示装置として選択する装置選択機能と、
コンテンツデータを受信する受信機能と、
前記受信されたコンテンツデータを前記操作対象表示装置以外に表示する表示制御機能と、
を実現させることを特徴としている。
【発明の効果】
【００１８】
本発明によれば、複数台の表示装置を用いて画像データを表示する際に、画像データを見易くするために、ユーザが意図した位置であって、操作中の表示を邪魔しない位置に表示することができる。
【図面の簡単な説明】
【００１９】
【図１】第１実施形態に係る表示システムの構成を示すブロック図である。
【図２】第１実施形態に係る表示システムの表示制御装置のテーブルを示す図である。
【図３】第１実施形態に係る表示システムの動作（表示処理）を示すフローチャートである。
【図４】第１実施形態に係る表示システムの動作例を説明するための図である。
【図５】第１実施形態に係る表示システムの動作例を説明するための図である。
【図６】第２実施形態に係る表示システムの動作を説明するための図である。
【図７】第２実施形態に係る表示システムの動作を説明するための図である。
【図８】第３実施形態に係る表示システムの構成を示すブロック図である。
【図９】第３実施形態に係る表示システムの動作例を説明するための図である。
【図１０】第３実施形態に係る表示システムの動作例を説明するための図である。
【図１１】第４実施形態に係る表示システムの動作例を説明するための図である。
【図１２】第４実施形態に係る表示システムの動作例を説明するための図である。
【図１３】第５実施形態に係る表示システムの動作例を説明するための図である。
【図１４】第５実施形態に係る表示システムの動作例を説明するための図である。
【図１５】第６実施形態に係る表示システムの表示制御装置のテーブルを示す図である。
【図１６】第６実施形態に係る表示システムの動作例を説明するための図である。
【図１７】第６実施形態に係る表示システムの動作例を説明するための図である。
【図１８】第７実施形態に係る表示システムの表示制御装置のテーブルを示す図である。
【図１９】第７実施形態に係る表示システムの動作例を説明するための図である。
【図２０】第７実施形態に係る表示システムの動作例を説明するための図である。
【図２１】第８実施形態に係る表示システムの構成を示すブロック図である。
【図２２】第８実施形態に係る表示システムの表示制御装置のテーブルを示す図である。
【図２３】第８実施形態に係る表示システムの動作（表示処理）を示すフローチャートである。
【図２４】第８実施形態に係る表示システムの動作例を説明するための図である。
【図２５】第８実施形態に係る表示システムの動作例を説明するための図である。
【図２６】第８実施形態に係る表示システムの動作例を説明するための図である。
【図２７】第８実施形態に係る表示システムの動作例を説明するための図である。
【図２８】第９実施形態に係る表示システムの表示制御装置のテーブルを示す図である。
【図２９】第９実施形態に係る表示システムの動作例を説明するための図である。
【図３０】第９実施形態に係る表示システムの動作例を説明するための図である。
【図３１】第１０実施形態に係る表示システムの動作例を説明するための図である。
【図３２】第１０実施形態に係る表示システムの動作例を説明するための図である。
【図３３】第１０実施形態に係る表示システムの動作例を説明するための図である。
【図３４】第１０実施形態に係る表示システムの動作例を説明するための図である。
【図３５】変形例を説明するための図である。
【発明を実施するための形態】
【００２０】
以下に、本発明の実施の形態について、図を参照しながら詳細に説明する。以下の説明では、本発明の表示システムを例に説明する。なお、本実施形態は、本発明を説明するための一例であり、実施形態の内容に限定されないことは勿論である。
【００２１】
［１．第１実施形態］
まず、第１実施形態について説明する。第１実施形態では、複数台の表示装置の中から、ユーザ（操作者）に操作される表示装置を操作対象表示装置として選択し、操作対象表示装置の隣に配置された表示装置を選択表示装置として選択して、選択表示装置にコンテンツデータを表示する。
【００２２】
［１．１  全体構成］
まず、全体構成について図を参照して説明する。図１は、第１実施形態に係る表示システムの構成を示すブロック図である。図１に示すように、表示システムは、複数台の表示装置と、複数の入力検知装置と、表示制御装置３０と、を具備している。
【００２３】
複数台の表示装置は、図示しないＬＣＤ（Liquid Crystal Display）である。本実施形態では、複数台の表示装置は、例えば、３台の表示装置１１〜１３であるものとする。複数台の表示装置１１〜１３は、一列に並べて配置されている。
【００２４】
複数の入力検知装置は、タッチパネルである。本実施形態では、複数の入力検知装置は、３つの入力検知装置２１〜２３であるものとする。複数の入力検知装置２１〜２３は、それぞれ複数台の表示装置１１〜１３に設けられている。すなわち、複数台の表示装置１１〜１３は、それぞれ、自身のＬＣＤと、複数の入力検知装置２１〜２３（タッチパネル）とにより、タッチパネルディスプレイとして使用される。複数の入力検知装置２１〜２３は、それぞれ、ユーザが複数台の表示装置１１〜１３に対して指先またはペン先により文字等を入力したとき、複数台の表示装置１１〜１３に対するユーザの入力を入力情報として検知する。
【００２５】
複数の入力検知装置２１〜２３としては、静電容量センサや、光センサが例示される。静電容量センサは、例えば、座標を形成するように、複数台の表示装置１１〜１３のＬＣＤにマトリクス状に配置され、そのＬＣＤに所定距離以下に近接した指示媒体（ペン先またはユーザの指先）を検出する。光センサは、複数台の表示装置１１〜１３のＬＣＤの各画素に内蔵されることによりマトリクス状に配置され、そのＬＣＤに接触する指示媒体（ペン先またはユーザの指先）を検出する。
【００２６】
表示制御装置３０は、複数台の表示装置１１〜１３と、複数の入力検知装置２１〜２３とに接続されている。例えば、複数の入力検知装置２１〜２３のうちの入力検知装置２１が複数台の表示装置１１〜１３のうちの表示装置１１に対して入力情報を検知した場合、表示制御装置３０は、表示装置１１に入力情報を表示する。これにより、ユーザ（先生、プレセンターなど）がタッチパネルディスプレイを用いて視聴者（生徒、受講者など）に説明を行なうときに、表示装置１１に対して入力情報を反映させることができる。
【００２７】
［１．２  機能構成］
続いて、表示制御装置３０の機能構成について図を参照して説明する。
【００２８】
表示制御装置３０は、記憶部３１と、制御部３２と、通信部３３とを具備している。制御部３２は、ＣＰＵ（Central Processing Unit）であり、複数の入力検知装置２１〜２３、複数台の表示装置１１〜１３を制御する。記憶部３１にはコンピュータプログラムが格納され、制御部３２は、そのコンピュータプログラムを実行する。
【００２９】
記憶部３１は、テーブル１４１を備えている。図２は、第１実施形態に係る表示システムの表示制御装置３０のテーブル１４１を示す図である。図２に示すように、テーブル１４１には、複数台の表示装置１１〜１３のそれぞれを識別するための複数の表示装置識別情報ＩＤ１〜ＩＤ３が格納されている。また、テーブル１４１には、複数台の表示装置１１〜１３の配置（並び）を示す配置情報が格納されている。また、図示しないが、テーブル１４１には、後述の操作対象表示装置、選択表示装置が選択された結果（配置状況を含む）も格納される。
【００３０】
具体的には、複数台の表示装置１１〜１３は、この順番で左から右に並べて配置されている。この場合、テーブル１４１には、表示装置１１を識別するための表示装置識別情報ＩＤ１に対して、左から１番目を表す配置情報Ｌ１が格納され、表示装置１２を識別するための表示装置識別情報ＩＤ２に対して、左から２番目を表す配置情報Ｌ２が格納され、表示装置１３を識別するための表示装置識別情報ＩＤ３に対して、左から３番目を表す配置情報Ｌ３が格納されている。
【００３１】
図１に示すように、記憶部３１は、更に、フォルダ１４２を備えている。制御部３２は、他の装置から画像データを受信したときに、その画像データをフォルダ１４２に保存する。
【００３２】
図１に示すように、制御部３２は、装置選択部１３１と、表示制御部１３２と、ページ操作制御部１３３とを備えている。
【００３３】
装置選択部１３１は、複数台の表示装置１１〜１３の中から、ユーザにより操作されている表示装置（例えば、表示装置１１）を、操作対象表示装置として選択する。ユーザの操作はタッチ（指、ペン）により行なわれ、操作対象表示装置（表示装置１１）は、現在行なわれているユーザのタッチ（指、ペン）の位置で判断される。
【００３４】
ここで、操作対象である表示装置を選択する場合、現在操作中の表示装置の場合もあれば、操作していた表示装置の場合もある。具体的には、選択時に操作中の表示装置を選択する場合や、最後に操作した表示装置を選択する場合がある。また、表示装置として利用者（発表者、教師）に近い表示装置を操作中の表示装置と選択する場合もあれば、プライマリディスプレイを操作中の表示装置と選択する場合もある。また、アクティブウィンドウが含まれる領域のディスプレイを操作中の表示装置としても良い。
【００３５】
また、装置選択部１３１は、操作対象表示装置（表示装置１１）以外の表示装置１２、１３のうちの１つの表示装置を選択表示装置として選択する。
【００３６】
ここで、選択表示装置とは、一又は複数ある表示装置のうち、受信されたコンテンツデータ（画像データ）を表示する装置として、選択される表示装置のことをいう。ここで、選択表示装置は、コンテンツデータ（画像データ）を表示する表示装置を選択しても良いし、逆に表示しない表示装置が選択されても良い（この場合は、表示しないと選択された表示装置以外が選択表示装置である）。
【００３７】
また、操作対象表示装置以外の表示装置が単純に選択表示装置として選択されても良い。すなわち、受信されたコンテンツデータを表示する表示装置が特定できれば良い。
【００３８】
また、選択表示装置を選択する条件として、選択表示装置は、第１に、操作対象表示装置の隣に配置された表示装置を表し、第２に、操作対象表示装置の右側に設置された表示装置を表している。例えば、操作対象表示装置が表示装置１１（配置情報Ｌ１の表示装置）である場合、選択表示装置は、表示装置１１の隣に配置され、かつ、右側に設置された表示装置１２（配置情報Ｌ２の表示装置）である。例えば、操作対象表示装置が表示装置１２（配置情報Ｌ２の表示装置）である場合、選択表示装置は、表示装置１２の隣に配置された表示装置１１、１３のうちの、右側に設置された表示装置１３（配置情報Ｌ３の表示装置）である。例えば、操作対象表示装置が表示装置１３（配置情報Ｌ３の表示装置）である場合、選択表示装置は、表示装置１３の隣に配置された表示装置１２（配置情報Ｌ２の表示装置）である。
【００３９】
表示制御部１３２は、選択表示装置に、フォルダ１４２に保存された画像データを表示する。
【００４０】
ページ操作制御部１３３は、表示装置に対して、ユーザのタッチによりページ操作（ページ送り、または、ページ戻し）を行なう。
【００４１】
通信部３３は、他の装置（例えば、サーバや携帯端末装置、画像形成装置等）と通信を行うための機能部である。例えば、有線ＬＡＮや無線ＬＡＮを利用してネットワークＮＷに接続され、ネットワークＮＷに接続されている他の装置（不図示）に接続可能となる。また、Ｂｌｕｅｔｏｏｔｈ（登録商標）や、ＮＦＣ（Near field radio communication）等の近距離無線通信や、ＷｉＦｉを利用して他の装置と直接接続されても良い。
【００４２】
［１．３  処理の流れ］
続いて、本実施形態における処理の流れについて、図を参照して説明する。図３は、第１実施形態に係る表示システムの動作（表示処理）を示すフローチャートである。
【００４３】
表示制御装置３０において、制御部３２は、通信部３３を介してコンテンツデータを入力または受信する（ステップＳ１００）。このとき、制御部３２は、そのコンテンツデータをフォルダ１４２に保存する。
【００４４】
ここで、受信されるコンテンツデータとしては、種々のデータが考えられる。以下の記載では、説明の都合上、一例として画像データを受信する場合について説明するが、例えばテキストデータ（テキストメッセージ）や、動画データ、文章データといった他のデータであっても良い。
【００４５】
また、本明細書では、コンテンツデータを他の装置から受信される場合について説明するが、例えばＵＳＢメモリ等の外部記憶装置から読み取っても良い。この場合、通信部３３は、ＵＳＢインタフェース等により実現される。
【００４６】
装置選択部１３１は、現在行なわれているユーザのタッチ（指、ペン）の位置に基づいて、複数台の表示装置１１〜１３の中から操作対象表示装置（例えば、表示装置１１）を選択する（ステップＳ１０２）。
【００４７】
ここで、操作対象表示装置を選択するには、まず表示装置がユーザによる操作状態であるか否かを判定してもよい。ここで、操作状態であると判定する方法として種々あるが、本実施形態では、ユーザのタッチの位置に基づいて、操作状態となっているか否かを判定する。そして、操作状態であると判定された表示装置を、操作対象表示装置として選択する。
【００４８】
以下、操作対象表示装置を選択する場合には、各表示装置において、操作状態となっているか否かを判定し、当該操作状態として判定された表示装置を操作対象表示装置として選択する処理を実行する。
【００４９】
また、装置選択部１３１は、操作対象表示装置（表示装置１１）以外の表示装置１２、１３のうちの１つの表示装置（例えば、表示装置１２）を選択表示装置として選択する（ステップＳ１０４）。
【００５０】
表示制御部１３２は、画像データのサイズを確認する（ステップＳ１０６）。表示制御部１３２は、選択表示装置（表示装置１２）の表示可能領域に、画像データを表示する（ステップＳ１０８）。
【００５１】
［１．４  動作例］
続いて、本実施形態における動作例について、図を参照して説明する。図４、５は、第１実施形態に係る表示システムの動作例を説明するための図である。
【００５２】
図４に示すように、例えば、ユーザは、複数台の表示装置１１〜１３のうちの表示装置１１に対して、指先またはペン先により文字「１０−２＝」を入力するためのタッチ操作を行なったものとする。このとき、複数の入力検知装置２１〜２３のうちの入力検知装置２１は、表示装置１１に対するユーザの入力を入力情報として検知する。入力情報は、文字「１０−２＝」と、表示装置１１上で指定された位置（座標）とを含んでいる。表示制御装置３０の表示制御部１３２は、その入力情報を表示装置１１の指定位置に表示する。
【００５３】
ここで、図４に示すように、表示制御装置３０の制御部３２は、画像データ１００を入力または受信し、その画像データ１００をフォルダ１４２に保存する。表示制御装置３０の装置選択部１３１は、複数台の表示装置１１〜１３の中から、入力情報を検知した入力検知装置２１に対応して設けられた表示装置１１を、操作対象表示装置として選択する。すなわち、入力情報の文字「１０−２＝」が表示された表示装置１１を、操作対象表示装置として選択する。
【００５４】
また、図５に示すように、表示制御装置３０の装置選択部１３１は、複数台の表示装置１１〜１３の中から、操作対象表示装置（表示装置１１）の右隣に配置された表示装置（表示装置１２）を、選択表示装置として選択する。このとき、表示制御装置３０の表示制御部１３２は、選択表示装置（表示装置１２）の表示可能領域に画像データ１００を表示する。
【００５５】
なお、選択表示装置として、表示装置が１つ選択された場合には、当該表示装置の表示領域内に画像データが表示されるように表示する。また、選択表示装置が複数選択されている場合には、２つの表示装置を１つの表示領域として、画像データを跨ぐように表示させても良い。
【００５６】
以上の説明により、第１実施形態に係る表示システムは、並べて配置された複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３の中から、ユーザに操作される表示装置１１を操作対象表示装置として選択する。また、装置選択部１３１は、複数台の表示装置１１〜１３の中から、操作対象表示装置（表示装置１１）とは異なり、かつ、操作対象表示装置（表示装置１１）の右隣に配置された１つの表示装置（この場合、表示装置１２）を、選択表示装置として選択する。表示制御部１３２は、受信された画像データ１００を選択表示装置（表示装置１２）に表示する。
【００５７】
このように、第１実施形態に係る表示システムによれば、ユーザ（先生、プレセンターなど）や視聴者（生徒、受講者など）にとって画像データ１００を見易くするために、画像データ１００は、ユーザに操作されない表示装置１２に表示される。このため、第１実施形態に係る表示システムは、複数台の表示装置１１〜１３を用いて受信されたコンテンツデータを表示する際に、ユーザの操作の邪魔をしない位置に表示することができる。
【００５８】
［２．第２実施形態］
続いて、第２実施形態について説明する。第１実施形態では、操作対象表示装置（表示装置１１）の右隣に配置された表示装置（表示装置１２）が選択表示装置として選択され、選択表示装置（表示装置１２）の表示可能領域に画像データ１００が表示されているが、これに限定されない。例えば、第２実施形態では、操作対象表示装置以外の表示装置が選択表示装置として選択され、選択表示装置の表示可能領域に画像データ１００が表示される。第２実施形態に係る表示システムでは、第１実施形態からの変更点を説明する。
【００５９】
［２．１  動作例］
図６、７は、第２実施形態に係る表示システムの動作を説明するための図である。
【００６０】
図６に示すように、例えば、ユーザは、複数台の表示装置１１〜１３のうちの表示装置１２に対して、指先またはペン先により文字「１０−２＝」を入力するためのタッチ操作を行なったものとする。このとき、複数の入力検知装置２１〜２３のうちの入力検知装置２２は、表示装置１２に対するユーザの入力を入力情報として検知する。入力情報は、文字「１０−２＝」と、表示装置１２上で指定された位置（座標）とを含んでいる。表示制御装置３０の表示制御部１３２は、その入力情報を表示装置１２の指定位置に表示する。
【００６１】
ここで、図６に示すように、表示制御装置３０の制御部３２は、画像データ１００を入力または受信し、その画像データ１００をフォルダ１４２に保存する。表示制御装置３０の装置選択部１３１は、複数台の表示装置１１〜１３の中から、入力情報を検知した入力検知装置２２に対応して設けられた表示装置１２を、操作対象表示装置として選択する。すなわち、入力情報の文字「１０−２＝」が表示された表示装置１２を、操作対象表示装置として選択する。
【００６２】
また、図７に示すように、表示制御装置３０の装置選択部１３１は、操作対象表示装置（表示装置１２）以外の表示装置１１、１３を、選択表示装置として選択する。すなわち、操作対象表示装置（表示装置１２）の両隣に配置された表示装置１１、１３を、選択表示装置として選択する。このとき、表示制御装置３０の表示制御部１３２は、選択表示装置（表示装置１１、１３）の表示可能領域に画像データ１００を表示する。
【００６３】
以上の説明により、第２実施形態に係る表示システムは、複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３の中から、ユーザに操作される表示装置１２を操作対象表示装置として選択する。また、装置選択部１３１は、操作対象表示装置（表示装置１２）以外の表示装置１１、１３を、選択表示装置として選択する。すなわち、操作対象表示装置（表示装置１２）の両隣に配置された表示装置１１、１３を、選択表示装置として選択する。表示制御部１３２は、受信された画像データ１００を選択表示装置（表示装置１１、１３）に表示する。
【００６４】
このように、第２実施形態に係る表示システムによれば、ユーザ（先生、プレセンターなど）や視聴者（生徒、受講者など）にとって画像データ１００を見易くするために、画像データ１００は、ユーザに操作されない表示装置１１、１３に表示される。このため、第２実施形態に係る表示システムは、複数台の表示装置１１〜１３を用いて受信されたコンテンツデータを表示する際に、操作している表示装置以外の表示装置に受信されたコンテンツデータが表示されることにより、操作中の表示を邪魔しない位置に表示することができる。さらに、複数の表示装置にも表示可能となるから、視聴者にとって見やすい表示システムを提供することができる。
【００６５】
［３．第３実施形態］
続いて、第３実施形態について説明する。第３実施形態では、操作者であるユーザの所在を検出し、ユーザの所在に近い表示装置を現在操作されている表示装置と判定する。そして、当該操作されている操作対象表示装置として選択する実施形態である。一例として、表示制御装置３０の装置選択部１３１は、複数台の表示装置１１〜１３に対してそれぞれ設けられた複数のセンサのうちの１つのセンサがユーザ（操作者）の所在を検出したとき、複数台の表示装置１１〜１３の中から、１つのセンサが設けられた表示装置を操作対象表示装置として選択する。第３実施形態に係る表示システムでは、第１、第２実施形態からの変更点として、例えば、第１実施形態からの変更点を説明する。
【００６６】
［３．１  構成］
図８は、第３実施形態に係る表示システムの構成を示すブロック図である。図８に示すように、表示システムは、更に、複数のセンサを具備している。
【００６７】
複数のセンサは、ユーザ（操作者）の所在（位置）を検出するためのセンサである。本実施形態では、複数のセンサは、３つのセンサ２０１〜２０３であるものとする。複数のセンサ２０１〜２０３は、複数台の表示装置１１〜１３に対してそれぞれ設けられている。すなわち、複数のセンサ２０１〜２０３は、それぞれ、複数台の表示装置１１〜１３の前に設定された検出可能範囲を有し、ユーザが検出可能範囲に移動したとき、ユーザの所在を検出する。例えば、複数のセンサ２０１〜２０３としては、人感センサが使用される。人感センサとしては、赤外線センサ、超音波センサ、可視光センサ、その組み合わせなどが用いられる。
【００６８】
複数のセンサ２０１〜２０３のうちの１つのセンサ２０１がユーザの所在を検出したとき、表示制御装置３０の装置選択部１３１は、複数台の表示装置１１〜１３の中から、ユーザの所在を検出したセンサ２０１が設けられた表示装置（例えば、表示装置１１）を操作対象表示装置として選択する。
【００６９】
［３．２  動作例］
続いて、本実施形態における動作例について、図を参照して説明する。図９、１０は、第３実施形態に係る表示システムの動作例を説明するための図である。
【００７０】
図９に示すように、例えば、ユーザは、複数台の表示装置１１〜１３のうちの表示装置１１の検出可能範囲に移動したものとする。このとき、複数のセンサ２０１〜２０３のうちのセンサ２０１は、ユーザの所在を検出する。
【００７１】
ここで、図９に示すように、表示制御装置３０の制御部３２は、画像データ１００を入力または受信し、その画像データ１００をフォルダ１４２に保存する。表示制御装置３０の装置選択部１３１は、複数台の表示装置１１〜１３の中から、ユーザの所在を検出したセンサ２０１に対して設けられた表示装置１１を、操作状態の表示装置として判定し、操作対象表示装置として選択する。
【００７２】
また、図１０に示すように、表示制御装置３０の装置選択部１３１は、複数台の表示装置１１〜１３の中から、操作対象表示装置（表示装置１１）の右隣に配置された表示装置（表示装置１２）を、選択表示装置として選択する。このとき、表示制御装置３０の表示制御部１３２は、選択表示装置（表示装置１２）の表示可能領域に画像データ１００を表示する。
【００７３】
以上の説明により、第３実施形態に係る表示システムは、並べて配置された複数台の表示装置１１〜１３と、複数台の表示装置１１〜１３に接続された表示制御装置３０と、複数台の表示装置１１〜１３に対してそれぞれ設けられた複数のセンサ２０１〜２０３と、を具備している。表示制御装置３０は、装置選択部１３１と、表示制御部１３２と、を具備している。装置選択部１３１は、複数のセンサ２０１〜２０３のうちの１つのセンサ２０１がユーザの所在を検出したとき、複数台の表示装置１１〜１３の中から、検出したセンサ２０１が設けられた表示装置１１を、ユーザに操作される操作対象表示装置として選択する。また、装置選択部１３１は、複数台の表示装置１１〜１３の中から、操作対象表示装置（表示装置１１）とは異なり、かつ、操作対象表示装置（表示装置１１）の右隣に配置された１つの表示装置（この場合、表示装置１２）を、選択表示装置として選択する。表示制御部１３２は、受信された画像データ１００を選択表示装置（表示装置１２）に表示する。
【００７４】
このように、第３実施形態に係る表示システムによれば、ユーザ（先生、プレセンターなど）や視聴者（生徒、受講者など）にとって画像データ１００を見易くするために、画像データ１００は、ユーザが所在する位置の近くの表示装置以外の表示装置１２に表示される。このため、第３実施形態に係る表示システムは、複数台の表示装置１１〜１３を用いて受信されたコンテンツデータを表示する際に、ユーザの位置から遠くの表示装置にコンテンツデータが表示されることになり、操作中の表示を邪魔しない位置に表示することができる。
【００７５】
なお、上述した実施形態では、各表示装置にセンサを設けることとして説明したが、表示装置が設置されているエリアにユーザの所在を検出するセンサ装置を別に設けてもよい。ここで、センサ装置としては、空間認識によりユーザの位置を検出可能なセンサであっても良いし、画像撮影装置における画像認識によってユーザの位置を検出可能なシステムであってもよい。ユーザの位置が検出されることにより、どの表示装置の近くにユーザがいるかを検出し、上述した処理を実行する。
【００７６】
［４．第４実施形態］
続いて、第４実施形態について説明する。第４実施形態では、実行されているプログラムの状態により、操作対象表示装置を選択する実施形態である。一例として、表示制御装置３０の装置選択部１３１は、複数台の表示装置１１〜１３の中から、ユーザが操作するためのメニューが表示された表示装置を操作対象表示装置として選択する。第４実施形態に係る表示システムでは、第１〜第３実施形態からの変更点として、例えば、第１実施形態からの変更点を説明する。
【００７７】
［４．１  動作例］
続いて、本実施形態における動作例について、図を参照して説明する。図１１、１２は、第４実施形態に係る表示システムの動作例を説明するための図である。
【００７８】
図１１に示すように、例えば、ユーザは、複数台の表示装置１１〜１３のうちの表示装置１１に対して、指先またはペン先によりメニュー４００を表示させるためのタッチ操作を行なったものとする。メニュー４００を表示させるためのタッチ操作としては、例えば、長押しが挙げられる。このとき、複数の入力検知装置２１〜２３のうちの入力検知装置２１は、表示装置１１に対するユーザの入力（長押し）を入力情報として検知する。入力情報は、タッチ操作（長押し）と、表示装置１１上で指定された位置（座標）とを含んでいる。表示制御装置３０の表示制御部１３２は、その入力情報に応じて、メニュー４００を表示装置１１の指定位置に表示する。
【００７９】
なお、メニューを表示する方法としては種々の方法が考えられる。本実施形態のように、操作により表示されるメニュー表示だけでなく、処理を選択できるパーツメニューや、ウィンドウの切替えを表示することが出来るメニューといった表示であってもよい。
【００８０】
ここで、図１２に示すように、表示制御装置３０の制御部３２は、画像データ１００を入力または受信し、その画像データ１００をフォルダ１４２に保存する。表示制御装置３０の装置選択部１３１は、複数台の表示装置１１〜１３の中から、メニュー４００が表示されている表示装置１１を、操作対象表示装置として選択する。
【００８１】
また、図１２に示すように、表示制御装置３０の装置選択部１３１は、複数台の表示装置１１〜１３の中から、操作対象表示装置（表示装置１１）の右隣に配置された表示装置（表示装置１２）を、選択表示装置として選択する。このとき、表示制御装置３０の表示制御部１３２は、選択表示装置（表示装置１２）の表示可能領域に画像データ１００を表示する。
【００８２】
以上の説明により、第４実施形態に係る表示システムは、並べて配置された複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３の中から、ユーザが操作するためのメニュー４００が表示されている表示装置１１を、ユーザに操作される操作対象表示装置として選択する。また、装置選択部１３１は、複数台の表示装置１１〜１３の中から、操作対象表示装置（表示装置１１）とは異なり、かつ、操作対象表示装置（表示装置１１）の右隣に配置された１つの表示装置（この場合、表示装置１２）を、選択表示装置として選択する。表示制御部１３２は、受信された画像データ１００を選択表示装置（表示装置１２）に表示する。
【００８３】
このように、第４実施形態に係る表示システムによれば、ユーザ（先生、プレセンターなど）や視聴者（生徒、受講者など）にとって画像データ１００を見易くするために、画像データ１００は、ユーザに操作されない表示装置１２に表示される。このため、第４実施形態に係る表示システムは、複数台の表示装置１１〜１３を用いて受信されたコンテンツデータを表示する際に、プログラムの状態から操作対象となっている表示装置以外の装置に受信したコンテンツデータを表示することとなり、操作中の表示を邪魔しない位置に表示することができる。
【００８４】
また、実行されているプログラムの状態から操作対象表示装置を選択する場合に、メニュー表示が行われている領域（表示装置）を利用したが、他のモジュール、パーツであっても良い。
【００８５】
例えば、表示されているものとしては、カーソル、ポインタが表示されている表示装置を操作対象表示装置として選択してもよいし、ダイアログボックスが表示されている表示装置を操作対象表示装置として選択してもよい。
【００８６】
また、表示されている内容だけでなく、表示状態により選択してもよい。例えば、複数の表示装置に、現在操作しているプログラムが複数表示されているとする。このとき、現在実行しているプログラムが表示されている表示装置（例えば、アクティブなウィンドウが表示されている表示装置）を操作対象表示装置と選択してもよい。
【００８７】
このような場合であれば、例えば、ユーザがタッチ操作以外、例えばキーボード操作やマウス操作をしている場合であっても、適切に操作対象表示装置を選択することが可能となる。
【００８８】
［５．第５実施形態］
続いて、第５実施形態について説明する。第５実施形態では、表示制御装置３０の装置選択部１３１は、複数台の表示装置１１〜１３の中から、既にコンテンツデータが表示さている表示装置のうち、少なくとも１つの表示装置を操作対象表示装置として選択する。第５実施形態に係る表示システムでは、第１〜第４実施形態からの変更点として、例えば、第１実施形態からの変更点を説明する。
【００８９】
［５．１  動作例］
続いて、本実施形態における動作例について、図を参照して説明する。図１３、１４は、第５実施形態に係る表示システムの動作例を説明するための図である。
【００９０】
図１３に示すように、表示制御装置３０の表示制御部１３２は、コンテンツデータ５００を表示装置１１、１２に表示している。コンテンツデータ５００は、例えばネットワークを介してダウンロードされたコンテンツを表している。コンテンツデータ５００は、文字、図形、音声、画像、動画、ＷＥＢページやそれらの組み合わせである。例えば、コンテンツデータ５００は、複数ページのデータで構成され、表示制御装置３０の表示制御部１３２は、２ページ分のデータをそれぞれ表示装置１１、１２にスライド表示する。
【００９１】
ここで、図１３に示すように、表示制御装置３０の制御部３２は、画像データ１００を入力または受信し、その画像データ１００をフォルダ１４２に保存する。表示制御装置３０の装置選択部１３１は、複数台の表示装置１１〜１３の中から、既にコンテンツデータ５００が表示されている表示装置１１、１２を、操作対象表示装置として選択する。
【００９２】
また、図１４に示すように、表示制御装置３０の装置選択部１３１は、操作対象表示装置（表示装置１１、１２）以外の表示装置１３を、選択表示装置として選択する。すなわち、操作対象表示装置（表示装置１１、１２）の隣に配置された表示装置１３を、選択表示装置として選択する。このとき、表示制御装置３０の表示制御部１３２は、選択表示装置（表示装置１３）の表示可能領域に画像データ１００を表示する。
【００９３】
なお、受信されたコンテンツデータが表示されていない表示装置（選択表示装置）は、コンテンツデータが全く表示されていない場合と、現在利用中のコンテンツデータが表示されていない場合とを含むものとする。
【００９４】
例えば、表示装置１１において、動画データを再生中に、表示装置１２には以前使用した画像データが表示されているとする。この場合、何もコンテンツデータが表示されていない表示装置１３のみを選択表示装置として選択しても良いし、動画データが再生されていない表示装置１２、表示装置１３を選択表示装置として選択しても良い。
【００９５】
また、コンテンツデータが表示されていない状態とは、ユーザが利用しているコンテンツデータ（例えば、動画データや、プレゼンテーション用のデータ）が表示されていない状態のことを言ってもよい。すなわち、デスクトップのアイコンや、時計表示といったコンテンツデータが表示されている場合は、コンテンツデータが表示されていない状態に含めてもよい。
【００９６】
以上の説明により、第５実施形態に係る表示システムは、並べて配置された複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３の中から、コンテンツデータ５００が表示されている表示装置１１、１２を、ユーザに操作される操作対象表示装置として選択する。また、装置選択部１３１は、複数台の表示装置１１〜１３の中から、操作対象表示装置（表示装置１１）とは異なり、かつ、操作対象表示装置（表示装置１１、１２）の隣に配置された１つの表示装置（この場合、表示装置１３）を、選択表示装置として選択する。表示制御部１３２は、受信された画像データ１００を選択表示装置（表示装置１３）に表示する。
【００９７】
このように、第５実施形態に係る表示システムによれば、ユーザ（先生、プレセンターなど）や視聴者（生徒、受講者など）にとって画像データ１００を見易くするために、画像データ１００は、既にコンテンツデータが表示されている表示装置以外の表示装置１３に表示される。このため、第５実施形態に係る表示システムは、複数台の表示装置１１〜１３を用いて受信されたコンテンツデータを表示する際に、コンテンツデータが表示されていない表示装置に、受信されたコンテンツデータを表示することができるため、既に表示されているコンテンツデータの表示を邪魔しない位置に、受信されたコンテンツデータを表示することができる。
【００９８】
［６．第６実施形態］
続いて、第６実施形態について説明する。第６実施形態では、表示制御装置３０の装置選択部１３１は、複数台の表示装置１１〜１３に対してユーザがタッチしたときの履歴に基づいて、複数台の表示装置１１〜１３の中から、操作対象表示装置及び選択表示装置を選択する。第６実施形態に係る表示システムでは、第１〜第５実施形態からの変更点として、例えば、第１実施形態からの変更点を説明する。
【００９９】
［６．１  構成］
図１５は、第６実施形態に係る表示システムの表示制御装置３０のテーブル１４１を示す図である。図１５に示すように、テーブル１４１には、更に、タッチ履歴情報が格納されている。タッチ履歴情報は、複数台の表示装置１１〜１３の各々に対してユーザがタッチしたときの履歴を表している。
【０１００】
前述のように、複数の入力検知装置２１〜２３は、それぞれ、複数台の表示装置１１〜１３に対するユーザの入力を入力情報として検知する。そこで、表示制御装置３０の装置選択部１３１は、複数の入力検知装置２１〜２３から入力情報を受け取ったときに、それぞれ、複数台の表示装置１１〜１３に対するユーザのタッチ回数を、タッチ履歴情報としてテーブル１４１に記憶する。
【０１０１】
例えば、ユーザは、複数台の表示装置１１〜１３のうちの表示装置１１に対して、指先またはペン先により文字を入力するためのタッチ操作を行なったものとする。このとき、複数の入力検知装置２１〜２３のうちの入力検知装置２１は、表示装置１１に対するユーザの入力を入力情報として検知する。この場合、表示制御装置３０の装置選択部１３１は、入力検知装置２１からの入力情報を受け取ったとき、テーブル１４１に記憶されたタッチ履歴情報であり、かつ、表示装置１１に対するユーザのタッチ回数に、「１」を加算する。現在、テーブル１４１は、複数台の表示装置１１〜１３に対するユーザのタッチ回数として、それぞれ、「１２３」、「４３」、「５」を記憶しているものとする。
【０１０２】
なお、タッチ回数（タッチ履歴情報）は、現在実行されているプログラムにおける類正規回数であっても良いし、所定時間内の回数であっても良い。また、画像データを表示したタイミングでクリアされることとしても良いし、ユーザにより任意のタイミングでクリアされることとしてもよい。
【０１０３】
［６．２  動作例］
続いて、本実施形態における動作例について、図を参照して説明する。図１６、１７は、第６実施形態に係る表示システムの動作例を説明するための図である。
【０１０４】
図１６に示すように、表示制御装置３０の制御部３２は、画像データ１００を入力または受信し、その画像データ１００をフォルダ１４２に保存する。表示制御装置３０の装置選択部１３１は、テーブル１４１に記憶されたタッチ履歴情報を参照して、複数台の表示装置１１〜１３の中から、ユーザのタッチ回数が最も多い表示装置１１を操作対象表示装置として選択する。
【０１０５】
そして、操作対象表示装置以外の表示装置を、選択表示装置として選択し、画像データを表示する。
【０１０６】
更に、図１７に示すように、表示制御装置３０の装置選択部１３１は、テーブル１４１に記憶されたタッチ履歴情報を参照して、複数台の表示装置１１〜１３の中から、ユーザのタッチ回数が最も少ない表示装置１３を選択表示装置として選択してもよい。このとき、表示制御装置３０の表示制御部１３２は、選択表示装置（表示装置１３）の表示可能領域に画像データ１００を表示する。
【０１０７】
また、操作対象表示装置、選択表示装置として選択される表示装置について、タッチ回数については、ユーザが設定できることとしても良い。例えば、ユーザが、タッチ回数が最も少ない表示装置には、静的コンテンツを表示させて起きたい等の要望があれば、２番目にタッチ回数が少ない表示装置と設定してもよい。
【０１０８】
以上の説明により、第６実施形態に係る表示システムは、並べて配置された複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３に対してユーザがタッチしたときの履歴に基づいて、複数台の表示装置１１〜１３の中から、ユーザに操作される操作対象表示装置、及び、画像データ１００を表示するための選択表示装置を選択する。具体的には、装置選択部１３１は、複数台の表示装置１１〜１３の中から、ユーザのタッチ回数が最も多い１つの表示装置（表示装置１１）を操作対象表示装置として選択し、ユーザのタッチ回数が最も少ない１つの表示装置（表示装置１３）を選択表示装置として選択する。表示制御部１３２は、受信された画像データ１００を選択表示装置（表示装置１３）に表示する。
【０１０９】
このように、第６実施形態に係る表示システムによれば、ユーザ（先生、プレセンターなど）や視聴者（生徒、受講者など）にとって画像データ１００を見易くするために、画像データ１００は、ユーザに操作されない表示装置１３に表示される。このため、第６実施形態に係る表示システムは、複数台の表示装置１１〜１３を用いて受信されたコンテンツデータを表示する際に、タッチ履歴回数から、もっともユーザが操作していない表示装置に、受信されたコンテンツデータが表示されることになり、操作中の表示を邪魔しない位置に表示することができる。
【０１１０】
［７．第７実施形態］
続いて、第７実施形態について説明する。第６実施形態では、表示制御装置３０の装置選択部１３１は、複数台の表示装置１１〜１３の中から、ユーザのタッチ回数に基づいて、操作対象表示装置、選択表示装置を選択しているが、本実施形態では経過時間を利用して選択する。例えば、第７実施形態では、表示制御装置３０の装置選択部１３１は、複数台の表示装置１１〜１３の中から、ユーザが最後にタッチしてから経過時間が最も短い表示装置を操作対象表示装置として選択し、ユーザが最後にタッチしてから経過時間が最も長い表示装置を選択表示装置として選択する。第７実施形態に係る表示システムでは、第１〜第６実施形態からの変更点として、例えば、第６実施形態からの変更点を説明する。
【０１１１】
［７．１  構成］
図１８は、第７実施形態に係る表示システムの表示制御装置３０のテーブル１４１を示す図である。
【０１１２】
前述のように、複数の入力検知装置２１〜２３は、それぞれ、複数台の表示装置１１〜１３に対するユーザの入力を入力情報として検知する。そこで、表示制御装置３０の装置選択部１３１は、複数の入力検知装置２１〜２３から入力情報を受け取っていないときに、それぞれ、複数台の表示装置１１〜１３に対する経過時間を、タッチ履歴情報としてテーブル１４１に記憶する。
【０１１３】
例えば、ユーザは、複数台の表示装置１１〜１３のうちの表示装置１１に対して、指先またはペン先により文字を入力するためのタッチ操作を行なったものとする。このとき、複数の入力検知装置２１〜２３のうちの入力検知装置２１は、表示装置１１に対するユーザの入力を入力情報として検知する。この場合、表示制御装置３０の装置選択部１３１は、入力検知装置２１からの入力情報を受け取ったとき、テーブル１４１に記憶されたタッチ履歴情報であり、かつ、表示装置１１に対する経過時間をクリアする。すなわち、「０」にする。現在、テーブル１４１は、複数台の表示装置１１〜１３に対する経過時間として、それぞれ、「１分」、「３０分」、「５分」を記憶しているものとする。
【０１１４】
［７．２  動作例］
続いて、本実施形態における動作例について、図を参照して説明する。図１９、２０は、第７実施形態に係る表示システムの動作例を説明するための図である。
【０１１５】
図１９に示すように、表示制御装置３０の制御部３２は、画像データ１００を入力または受信し、その画像データ１００をフォルダ１４２に保存する。表示制御装置３０の装置選択部１３１は、テーブル１４１に記憶されたタッチ履歴情報を参照して、複数台の表示装置１１〜１３の中から、ユーザが最後にタッチしてから経過時間が最も短い表示装置１１を操作対象表示装置として選択する。
【０１１６】
また、図２０に示すように、表示制御装置３０の装置選択部１３１は、テーブル１４１に記憶されたタッチ履歴情報を参照して、複数台の表示装置１１〜１３の中から、ユーザが最後にタッチしてから経過時間が最も長い表示装置１２を選択表示装置として選択する。このとき、表示制御装置３０の表示制御部１３２は、選択表示装置（表示装置１２）の表示可能領域に画像データ１００を表示する。
【０１１７】
また、操作対象表示装置、選択表示装置として選択される表示装置について、経過時間については、ユーザが設定できることとしても良い。例えば、ユーザが、経過時間が最も長い表示装置には、静的コンテンツを表示させて起きたい等の要望があれば、２番目に経過時間が長い表示装置と設定してもよい。
【０１１８】
以上の説明により、第７実施形態に係る表示システムは、並べて配置された複数台の表示装置１１〜１３と、複数台の表示装置１１〜１３に接続された表示制御装置３０と、を具備している。表示制御装置３０は、装置選択部１３１と、表示制御部１３２と、を具備している。装置選択部１３１は、複数台の表示装置１１〜１３に対してユーザがタッチしたときの履歴に基づいて、複数台の表示装置１１〜１３の中から、ユーザに操作される操作対象表示装置、及び、画像データ１００を表示するための選択表示装置を選択する。具体的には、装置選択部１３１は、複数台の表示装置１１〜１３の中から、ユーザが最後にタッチしてから経過時間が最も短い１つの表示装置（表示装置１１）を操作対象表示装置として選択し、ユーザが最後にタッチしてから経過時間が最も長い１つの表示装置（表示装置１２）を選択表示装置として選択する。表示制御部１３２は、受信された画像データ１００を選択表示装置（表示装置１２）に表示する。
【０１１９】
このように、第７実施形態に係る表示システムによれば、ユーザ（先生、プレセンターなど）や視聴者（生徒、受講者など）にとって画像データ１００を見易くするために、画像データ１００は、ユーザに操作されない表示装置１２に表示される。このため、第７実施形態に係る表示システムは、複数台の表示装置１１〜１３を用いて受信されたコンテンツデータを表示する際に、ユーザが長く操作していない表示装置に受信したコンテンツデータを表示することができ、操作中の表示を邪魔しない位置に表示することができる。
【０１２０】
なお、第６実施形態と第７実施形態とを組み合わせてもよい。例えば、表示制御装置３０の装置選択部１３１は、複数台の表示装置１１〜１３の中から、ユーザのタッチ回数が最も多い表示装置１１を操作対象表示装置として選択し、ユーザが最後にタッチしてから経過時間が最も長い表示装置１２を選択表示装置として選択してもよい。また、表示制御装置３０の装置選択部１３１は、複数台の表示装置１１〜１３の中から、ユーザが最後にタッチしてから経過時間が最も短い表示装置１１を操作対象表示装置として選択し、ユーザのタッチ回数が最も少ない表示装置１３を選択表示装置として選択してもよい。
【０１２１】
［８．第８実施形態］
続いて、第８実施形態について説明する。第８実施形態では、画像データを入力または受信したときに、その旨を表す通知画面を複数台の表示装置に表示することによりユーザに通知する。このとき、表示制御装置３０の装置選択部１３１は、通知画面が表示された複数台の表示装置１１〜１３の中から、ユーザにより指定された表示装置を選択表示装置として選択し、選択表示装置以外の表示装置を操作対象表示装置として選択し、表示制御部は、選択表示装置に画像データを表示する。第８実施形態に係る表示システムでは、第１〜第７実施形態からの変更点として、例えば、第１実施形態からの変更点を説明する。
【０１２２】
［８．１  構成］
図２１は、第８実施形態に係る表示システムの構成を示すブロック図である。
【０１２３】
表示制御装置３０の装置選択部１３１は、複数台の表示装置１１〜１３の中から、ユーザにより操作される表示装置を操作対象表示装置として選択する。具体的には、図２１に示すように、装置選択部１３１は、通知制御部１３１Ａを備え、通知制御部１３１Ａは、画像データを入力または受信したときに（入力または受信された画像データがフォルダ１４２に保存されたときに）、その旨を複数台の表示装置１１〜１３によりユーザに通知する。装置選択部１３１は、複数台の表示装置１１〜１３の中から、通知によりユーザが指定した表示装置を選択表示装置として選択する。
【０１２４】
図２２は、第８実施形態に係る表示システムの表示制御装置３０のテーブル１４１を示す図である。図２２に示すように、テーブル１４１には、更に、ユーザ指定情報が格納されている。ユーザ指定情報は、複数台の表示装置１１〜１３のそれぞれに対して割り当てられた特定のジェスチャー操作を表している。例えば、表示装置１１に対して割り当てられた特定のジェスチャー操作は、１本指のタッチである。表示装置１２に対して割り当てられた特定のジェスチャー操作は、２本指のタッチである。表示装置１３に対して割り当てられた特定のジェスチャー操作は、３本指のタッチである。
【０１２５】
［８．２  処理の流れ］
続いて、本実施形態における処理の流れについて、図を参照して説明する。図２３は、第８実施形態に係る表示システムの動作（表示処理）を示すフローチャートである。
【０１２６】
表示制御装置３０において、制御部３２は、画像データを入力または受信する（ステップＳ１００）。このとき、制御部３２は、その画像データをフォルダ１４２に保存する。また、装置選択部１３１の通知制御部１３１Ａは、画像データ１００を入力または受信した旨を表す通知画面を、複数台の表示装置１１〜１３に表示することにより、ユーザに通知する（ステップＳ７００）。通知画面は、画像データを入力または受信したことをメッセージにより通知するためのメッセージ画面である。
【０１２７】
ユーザが複数台の表示装置１１〜１３のいずれかの表示装置上のメッセージ画面に対して特定のジェスチャー操作を行なったとき、メッセージ画面が表示された複数台の表示装置１１〜１３の中から、ユーザが行なう特定のジェスチャー操作に割り当てられた表示装置を、選択表示装置として選択する（ステップＳ７０２）。また、装置選択部１３１は、選択表示装置以外の表示装置を操作対象表示装置として選択する（ステップＳ７０４）。
【０１２８】
表示制御部１３２は、画像データのサイズを確認する（ステップＳ１０６）。表示制御部１３２は、選択表示装置の表示可能領域に、画像データを表示する（ステップＳ１０８）。
【０１２９】
［８．３  動作例］
続いて、本実施形態における動作例について、図を参照して説明する。図２４〜２７は、第８実施形態に係る表示システムの動作例を説明するための図である。
【０１３０】
図２４に示すように、表示制御装置３０の制御部３２は、画像データ１００を入力または受信し、その画像データ１００をフォルダ１４２に保存する。
【０１３１】
このとき、図２５に示すように、装置選択部１３１の通知制御部１３１Ａは、メッセージ画面８００を複数台の表示装置１１〜１３に表示することにより、画像データ１００を入力または受信したことをメッセージでユーザに通知する。
【０１３２】
例えば、図２６に示すように、ユーザは、複数台の表示装置１１〜１３のうちの表示装置１２上のメッセージ画面８００に対して、１本指のタッチにより特定のジェスチャー操作を行なったものとする。このとき、複数の入力検知装置２１〜２３のうちの入力検知装置２２は、表示装置１２に対するユーザの入力を入力情報として検知する。表示制御装置３０の装置選択部１３１は、入力検知装置２２からの入力情報を受け取ったとき、その入力情報が、１本指のタッチによる特定のジェスチャー操作を表している場合、複数台の表示装置１１〜１３の中から、その特定のジェスチャー操作に割り当てられた表示装置１１を、選択表示装置として選択する。
【０１３３】
また、図２７に示すように、表示制御装置３０の装置選択部１３１は、選択表示装置（表示装置１１）以外の表示装置１２、１３を、操作対象表示装置として選択する。このとき、表示制御装置３０の表示制御部１３２は、選択表示装置（表示装置１１）の表示可能領域に画像データ１００を表示する。
【０１３４】
以上の説明により、第８実施形態に係る表示システムは、並べて配置された複数台の表示装置１１〜１３と、複数台の表示装置１１〜１３に接続された表示制御装置３０と、を具備している。表示制御装置３０は、通知制御部１３１Ａと、装置選択部１３１と、表示制御部１３２と、を具備している。通知制御部１３１Ａは、画像データを受信したときに、メッセージ画面８００を、特定の操作が各々割り当てられた複数台の表示装置１１〜１３に表示することにより、画像データを入力または受信したことをメッセージによりユーザに通知する。複数台の表示装置１１〜１３の各々には、特定の操作として特定のジェスチャー操作（１本指のタッチ、２本指のタッチ、３本指のタッチ）が割り当てられている。複数台の表示装置１１〜１３のうちの１つの表示装置（表示装置１２）のメッセージ画面８００上でユーザが特定のジェスチャー操作（１本指のタッチ）を行なったときに、装置選択部１３１は、複数台の表示装置１１〜１３の中から、ユーザが行なう特定のジェスチャー操作（１本指のタッチ）に割り当てられた表示装置１１を、ユーザにより指定された選択表示装置として選択する。また、装置選択部１３１は、選択表示装置（表示装置１１）以外の表示装置１２、１３を操作対象表示装置として選択する。表示制御部１３２は、受信された画像データ１００を選択表示装置（表示装置１１）に表示する。ここで、ユーザにより特定のジェスチャー操作（１本指のタッチ）が行なわれる表示装置（表示装置１２）と、ユーザの特定のジェスチャー操作（１本指のタッチ）により選択表示装置として選択される表示装置（表示装置１１）とは、異なる。
【０１３５】
このように、第８実施形態に係る表示システムによれば、ユーザ（先生、プレセンターなど）や視聴者（生徒、受講者など）にとって画像データ１００を見易くするために、画像データ１００は、ユーザに操作されない表示装置１１に表示される。このため、第８実施形態に係る表示システムは、複数台の表示装置１１〜１３を用いて画像データ１００を表示する際に、ユーザが意図した位置に受信した画像データ１００を表示させることができ、操作中の表示を邪魔しない位置に表示することができる。
【０１３６】
［９．第９実施形態］
続いて、第９実施形態について説明する。第８実施形態では、表示制御装置３０の装置選択部１３１は、複数台の表示装置１１〜１３の中から、ユーザが行なう特定のジェスチャー操作に割り当てられた表示装置を選択表示装置として選択しているが、これに限定されない。例えば、第９実施形態では、表示制御装置３０の装置選択部１３１は、複数台の表示装置１１〜１３の中から、ユーザが入力する固有の文字に割り当てられた表示装置を選択表示装置として選択する。第９実施形態に係る表示システムでは、第１〜第８実施形態からの変更点として、例えば、第８実施形態からの変更点を説明する。
【０１３７】
［９．１  構成］
図２８は、第９実施形態に係る表示システムの表示制御装置３０のテーブル１４１を示す図である。
【０１３８】
図２８に示すように、テーブル１４１には、更に、ユーザ指定情報が格納されている。ユーザ指定情報は、複数台の表示装置１１〜１３のそれぞれに対して割り当てられた固有の文字を表している。例えば、表示装置１１に対して割り当てられた固有の文字は、「１」である。表示装置１２に対して割り当てられた固有の文字は、「２」である。表示装置１３に対して割り当てられた固有の文字は、「３」である。
【０１３９】
［９．２  動作例］
続いて、本実施形態における動作例について、図を参照して説明する。図２９、３０は、第９実施形態に係る表示システムの動作例を説明するための図である。
【０１４０】
まず、表示制御装置３０の制御部３２は、画像データ１００（図２４を参照）を入力または受信し、その画像データ１００をフォルダ１４２に保存する。このとき、装置選択部１３１の通知制御部１３１Ａは、メッセージ画面８００（図２５を参照）を複数台の表示装置１１〜１３に表示することにより、画像データ１００を入力または受信したことをメッセージでユーザに通知する。
【０１４１】
例えば、図２９に示すように、ユーザは、複数台の表示装置１１〜１３のうちの表示装置１３上のメッセージ画面８００に対して、固有の文字「２」を入力したものとする。このとき、複数の入力検知装置２１〜２３のうちの入力検知装置２３は、表示装置１３に対するユーザの入力を入力情報として検知する。表示制御装置３０の装置選択部１３１は、入力検知装置２３からの入力情報を受け取ったとき、その入力情報が、固有の文字「２」を表している場合、複数台の表示装置１１〜１３の中から、固有の文字「２」に割り当てられた表示装置１２を、選択表示装置として選択する。
【０１４２】
また、図３０に示すように、表示制御装置３０の装置選択部１３１は、選択表示装置（表示装置１２）以外の表示装置１１、１３を、操作対象表示装置として選択する。このとき、表示制御装置３０の表示制御部１３２は、選択表示装置（表示装置１２）の表示可能領域に画像データ１００を表示する。
【０１４３】
以上の説明により、第９実施形態に係る表示システムは、並べて配置された複数台の表示装置１１〜１３と、複数台の表示装置１１〜１３に接続された表示制御装置３０と、を具備している。表示制御装置３０は、通知制御部１３１Ａと、装置選択部１３１と、表示制御部１３２と、を具備している。通知制御部１３１Ａは、画像データを入力または受信したときに、メッセージ画面８００を、特定の操作が各々割り当てられた複数台の表示装置１１〜１３に表示することにより、画像データを入力または受信したことをメッセージによりユーザに通知する。複数台の表示装置１１〜１３の各々には、特定の操作として固有の文字「１」、「２」、「３」の入力が割り当てられている。複数台の表示装置１１〜１３のうちの１つの表示装置（表示装置１３）のメッセージ画面８００上でユーザが固有の文字「２」の入力を行なったときに、装置選択部１３１は、複数台の表示装置１１〜１３の中から、ユーザが入力する固有の文字「２」に割り当てられた表示装置１２を、ユーザにより指定された選択表示装置として選択する。また、装置選択部１３１は、選択表示装置（表示装置１２）以外の表示装置１１、１３を操作対象表示装置として選択する。表示制御部１３２は、受信された画像データ１００を選択表示装置（表示装置１２）に表示する。ここで、ユーザにより固有の文字「２」の入力が行なわれる表示装置（表示装置１３）と、ユーザの固有の文字「２」の入力により選択表示装置として選択される表示装置（表示装置１２）とは、異なる。
【０１４４】
このように、第９実施形態に係る表示システムによれば、ユーザ（先生、プレセンターなど）や視聴者（生徒、受講者など）にとって画像データ１００を見易くするために、画像データ１００は、ユーザに操作されない表示装置１２に表示される。このため、第９実施形態に係る表示システムは、複数台の表示装置１１〜１３を用いて受信されたコンテンツデータを表示する際に、ユーザがコンテンツデータの表示装置を選択することが可能で有り、操作中の表示を邪魔しない位置に表示することができる。
【０１４５】
［１０．第１０実施形態］
続いて、第１０実施形態について説明する。第１０実施形態では、表示制御装置３０の装置選択部１３１は、複数台の表示装置１１〜１３の中から、ユーザが行なう特定のフリック操作に応じた表示装置を選択表示装置として選択する。第１０実施形態に係る表示システムでは、第１〜第９実施形態からの変更点として、例えば、第８実施形態からの変更点を説明する。
【０１４６】
特定のフリック操作としては、下側へのフリック、左側へのフリック、右側へのフリックが挙げられる。メッセージ画面８００に対して行なわれる特定のフリック操作が下側へのフリックである場合、表示制御装置３０の装置選択部１３１は、複数台の表示装置１１〜１３の中から、特定のフリック操作が行われた表示装置を、選択表示装置として選択する。メッセージ画面８００に対して行なわれる特定のフリック操作が左側へのフリックである場合、表示制御装置３０の装置選択部１３１は、複数台の表示装置１１〜１３の中から、特定のフリック操作が行われた表示装置の左隣に配置された表示装置を、選択表示装置として選択する。メッセージ画面８００に対して行なわれる特定のフリック操作が右側へのフリックである場合、表示制御装置３０の装置選択部１３１は、複数台の表示装置１１〜１３の中から、特定のフリック操作が行われた表示装置の右隣に配置された表示装置を、選択表示装置として選択する。
【０１４７】
［１０．１  動作例１］
図３１、３２は、第１０実施形態に係る表示システムの動作例１を説明するための図である。
【０１４８】
まず、表示制御装置３０の制御部３２は、画像データ１００（図２４を参照）を入力または受信し、その画像データ１００をフォルダ１４２に保存する。このとき、装置選択部１３１の通知制御部１３１Ａは、メッセージ画面８００（図２５を参照）を複数台の表示装置１１〜１３に表示することにより、画像データ１００を入力または受信したことをメッセージでユーザに通知する。
【０１４９】
例えば、図３１に示すように、ユーザは、複数台の表示装置１１〜１３のうちの表示装置１２上のメッセージ画面８００に対して、特定のフリック操作１０００として下側へのフリックを行なったものとする。このとき、複数の入力検知装置２１〜２３のうちの入力検知装置２２は、表示装置１２に対するユーザの入力を入力情報として検知する。表示制御装置３０の装置選択部１３１は、入力検知装置２２からの入力情報を受け取ったとき、その入力情報が、特定のフリック操作１０００（下側へのフリック）を表している場合、複数台の表示装置１１〜１３の中から、特定のフリック操作１０００が行われた表示装置１２を、選択表示装置として選択する。
【０１５０】
また、図３２に示すように、表示制御装置３０の装置選択部１３１は、選択表示装置（表示装置１２）以外の表示装置１１、１３を、操作対象表示装置として選択する。このとき、表示制御装置３０の表示制御部１３２は、選択表示装置（表示装置１２）の表示可能領域に画像データ１００を表示する。
【０１５１】
［１０．２  動作例２］
図３３、３４は、第１０実施形態に係る表示システムの動作例２を説明するための図である。
【０１５２】
まず、表示制御装置３０の制御部３２は、画像データ１００（図２４を参照）を入力または受信し、その画像データ１００をフォルダ１４２に保存する。このとき、装置選択部１３１の通知制御部１３１Ａは、メッセージ画面８００（図２５を参照）を複数台の表示装置１１〜１３に表示することにより、画像データ１００を入力または受信したことをメッセージでユーザに通知する。
【０１５３】
例えば、図３３に示すように、ユーザは、複数台の表示装置１１〜１３のうちの表示装置１２上のメッセージ画面８００に対して、特定のフリック操作１０２０として右側へのフリックを行なったものとする。このとき、複数の入力検知装置２１〜２３のうちの入力検知装置２２は、表示装置１２に対するユーザの入力を入力情報として検知する。表示制御装置３０の装置選択部１３１は、入力検知装置２２からの入力情報を受け取ったとき、その入力情報が、特定のフリック操作１０２０（右側へのフリック）を表している場合、複数台の表示装置１１〜１３の中から、特定のフリック操作１０２０が行われた表示装置１２の右隣に配置された表示装置１３を、選択表示装置として選択する。
【０１５４】
また、図３４に示すように、表示制御装置３０の装置選択部１３１は、選択表示装置（表示装置１３）以外の表示装置１１、１２を、操作対象表示装置として選択する。このとき、表示制御装置３０の表示制御部１３２は、選択表示装置（表示装置１３）の表示可能領域に画像データ１００を表示する。
【０１５５】
以上の説明により、第１０実施形態に係る表示システムは、並べて配置された複数台の表示装置１１〜１３と、複数台の表示装置１１〜１３に接続された表示制御装置３０と、を具備している。表示制御装置３０は、通知制御部１３１Ａと、装置選択部１３１と、表示制御部１３２と、を具備している。通知制御部１３１Ａは、画像データを入力または受信したときに、メッセージ画面８００を、特定の操作が各々割り当てられた複数台の表示装置１１〜１３に表示することにより、画像データを入力または受信したことをメッセージによりユーザに通知する。複数台の表示装置１１〜１３の各々には、特定の操作として特定のフリック操作（下側へのフリック、左側へのフリック、右側へのフリック）が割り当てられている。複数台の表示装置１１〜１３のうちの１つの表示装置（表示装置１２）のメッセージ画面８００上でユーザが特定のフリック操作（右側へのフリック）を行なったときに、装置選択部１３１は、複数台の表示装置１１〜１３の中から、ユーザが行なう特定のフリック操作（右側へのフリック）に割り当てられた表示装置１３を、ユーザにより指定された選択表示装置として選択する。また、装置選択部１３１は、選択表示装置（表示装置１３）以外の表示装置１１、１２を操作対象表示装置として選択する。表示制御部１３２は、受信された画像データ１００を選択表示装置（表示装置１３）に表示する。ここで、ユーザにより特定のフリック操作（右側へのフリック）が行なわれる表示装置（表示装置１２）と、ユーザの特定のフリック操作（右側へのフリック）により選択表示装置として選択される表示装置（表示装置１３）とは、異なる。
【０１５６】
このように、第１０実施形態に係る表示システムによれば、ユーザ（先生、プレセンターなど）や視聴者（生徒、受講者など）にとって画像データ１００を見易くするために、画像データ１００は、ユーザに操作されない表示装置１２または表示装置１３に表示される。このため、第１０実施形態に係る表示システムは、複数台の表示装置１１〜１３を用いて受信されたコンテンツデータを表示する際に、ユーザがコンテンツデータを表示する位置を選択することができ、操作中の表示を邪魔しない位置に表示することができる。
【０１５７】
なお、第８〜第１０実施形態では、画像データを入力または受信したときに、メッセージ画面８００を、特定の操作が各々割り当てられた複数台の表示装置１１〜１３に表示することにより、画像データを入力または受信したことをメッセージによりユーザに通知しているが、これに限定されない。例えば、第１〜第７実施形態においても、画像データを入力または受信したときに、メッセージ画面８００を複数台の表示装置１１〜１３に表示することにより、複数台の表示装置１１〜１３の中から操作対象表示装置及び選択表示装置を選択する前に、画像データを入力または受信したことをメッセージによりユーザに通知してもよい。
【０１５８】
［１１．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１５９】
また、上述した実施形態では、表示装置として３台を例に説明しているが、当然他の台数であっても良い。例えば、図３５（ａ）に示すように、表示装置が２台であっても良いし、図３５（ｂ）に示すように、表示装置が４台であっても良い。すなわち、表示装置は、操作対象となる表示装置と、他の表示装置とがシステムとして含まれていれば良い。
【０１６０】
また、上述した実施形態は、説明した以外にも、矛盾のない範囲において適宜組み合わせて実行しても良いことは勿論である。
【０１６１】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ（Hard Disc Drive）の記憶装置に格納され、必要に応じてＣＰＵによって読み出し、修正・書き込みが行なわれる。
【０１６２】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１６４】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１６５】
１１〜１３  …  表示装置
２１〜２３  …  入力検知装置
３０  …  制御装置
３１  …  記憶部
３２  …  制御部
１００  …  画像データ
１３１  …  装置選択部
１３１Ａ  …  通知制御部
１３２  …  表示制御部
１３３  …  ページ操作制御部
１４１  …  テーブル
１４２  …  フォルダ
２０１〜２０３  …  センサ
４００  …  メニュー
５００  …  コンテンツ
８００  …  メッセージ画面
８２０  …  ジェスチャー操作
９２０  …  固有の文字
１０００  …  フリック操作
１０２０  …  フリック操作
ＩＤ１〜ＩＤ３  …  表示装置識別情報
Ｌ１〜Ｌ３  …  配置情報
【図１】
2018077343.tif 000003
【図２】
2018077343.tif 000004
【図３】
2018077343.tif 000005
【図４】
2018077343.tif 000006
【図５】
2018077343.tif 000007
【図６】
2018077343.tif 000008
【図７】
2018077343.tif 000009
【図８】
2018077343.tif 000010
【図９】
2018077343.tif 000011
【図１０】
2018077343.tif 000012
【図１１】
2018077343.tif 000013
【図１２】
2018077343.tif 000014
【図１３】
2018077343.tif 000015
【図１４】
2018077343.tif 000016
【図１５】
2018077343.tif 000017
【図１６】
2018077343.tif 000018
【図１７】
2018077343.tif 000019
【図１８】
2018077343.tif 000020
【図１９】
2018077343.tif 000021
【図２０】
2018077343.tif 000022
【図２１】
2018077343.tif 000023
【図２２】
2018077343.tif 000024
【図２３】
2018077343.tif 000025
【図２４】
2018077343.tif 000026
【図２５】
2018077343.tif 000027
【図２６】
2018077343.tif 000028
【図２７】
2018077343.tif 000029
【図２８】
2018077343.tif 000030
【図２９】
2018077343.tif 000031
【図３０】
2018077343.tif 000032
【図３１】
2018077343.tif 000033
【図３２】
2018077343.tif 000034
【図３３】
2018077343.tif 000035
【図３４】
2018077343.tif 000036
【図３５】
2018077343.tif 000037